(57)【要約】【課題】無電極電球から発生した熱により共振器にコーティングされた銀が変色して光束量が低下する現象を防止できる、アルミニウム共振器を備えた無電極照明機器を提供する。【解決手段】アルミニウム共振器を備えた無電極照明機器は、内部に充填された発光物質がプラズマ化して発光する無電極電球と、内部空間に無電極電球を収容し、無電極電球から発生した光を透過させ、電磁波発生部から発生して内部空間に印加された電磁波の外部放出を遮断して共振モードにすることにより、無電極電球を発光させる共振器と、を含み、共振器がアルミニウム材質で形成される。【選択図】図２
2007095691.tif 000002
【特許請求の範囲】
【請求項１】
内部に充填された発光物質がプラズマ化して発光する無電極電球と、内部空間に前記無電極電球を収容し、前記無電極電球から発生した光を透過させ、電磁波発生部から発生して前記内部空間に印加された電磁波の外部放出を遮断して共振モードにすることにより、前記無電極電球を発光させる共振器と、を含み、
前記共振器がアルミニウム材質で形成されることを特徴とする、アルミニウム共振器を備えた無電極照明機器。
【請求項２】
前記共振器の内面に腐食防止部が備えられることを特徴とする、請求項１に記載のアルミニウム共振器を備えた無電極照明機器。
【請求項３】
前記腐食防止部が、前記共振器の内面に塗布された酸化アルミニウム（Ａｌ2０3）膜であることを特徴とする、請求項２に記載のアルミニウム共振器を備えた無電極照明機器。
【請求項４】
前記共振器の内面に反射コーティング部がさらに備えられることを特徴とする、請求項１に記載のアルミニウム共振器を備えた無電極照明機器。
【請求項５】
前記反射コーティング部が高反射コーティング膜であることを特徴とする、請求項４に記載のアルミニウム共振器を備えた無電極照明機器。
【請求項６】
内部に充填された発光物質がプラズマ化して発光する無電極電球と、内部空間に前記無電極電球を収容し、前記無電極電球から発生した光を透過させ、電磁波発生部から発生して前記内部空間に印加された電磁波の外部放出を遮断して共振モードにすることにより、前記無電極電球を発光させる、スチール材質で形成された共振器と、を含み、
前記共振器の内面にアルミニウム膜が塗布されることを特徴とする、アルミニウムコーティング共振器を備えた無電極照明機器。
【請求項７】
前記共振器の内面に腐食防止部が備えられることを特徴とする、請求項６に記載のアルミニウムコーティング共振器を備えた無電極照明機器。
【請求項８】
前記腐食防止部が、前記共振器の内面に塗布された酸化アルミニウム（Ａｌ2０3）膜であることを特徴とする、請求項７に記載のアルミニウムコーティング共振器を備えた無電極照明機器。
【請求項９】
前記共振器の内面に反射コーティング部がさらに備えられることを特徴とする、請求項６に記載のアルミニウムコーティング共振器を備えた無電極照明機器。
【請求項１０】
前記反射コーティング部が高反射コーティング膜であることを特徴とする、請求項９に記載のアルミニウムコーティング共振器を備えた無電極照明機器。
【発明の詳細な説明】
【技術分野】
【０００１】
本発明はアルミニウム共振器を備えた無電極照明機器に関し、特に、無電極電球から発生した熱により共振器にコーティングされた銀が変色して光束量が低下する現象を防止できる、アルミニウム共振器を備えた無電極照明機器に関する。
【背景技術】
【０００２】
図４は、従来の無電極照明機器の構造を示す断面図であり、図５は、図４のＢ‐Ｂ線断面図である。
【０００３】
図４及び図５に示すように、従来の無電極照明機器は、ケーシング１０の内部に高電圧発生部２０、電磁波発生部３０、及び導波管４０などを備え、ケーシング１０の外部に共振器５０及び無電極電球６０を備えて、電磁波発生部３０から発振した電磁波を導波管４０を介して共振器５０に誘導することにより、無電極電球６０内の不活性ガスをプラズマ化して光を発生させる。
【０００４】
導波管４０は、円筒状の管であって、一側には電磁波発生部３０が連結されており、上部には該導波管４０の高さ方向に沿って所定の高さを有する共振器結合部材４１が突設されている。
【０００５】
共振器結合部材４１は、導波管４０より小さい直径を有するリング状に形成されてその中心は貫通しており、外側面には共振器５０が固定・結合されている。
【０００６】
共振器５０は、内部空間に無電極電球６０を収容し、電磁波の外部放出を遮断して無電極電球６０に伝達し、無電極電球６０から発生した光が外部に透過できるように網構造を有する円筒状のメッシュ５１を含む。
【０００７】
また、共振器５０は、外形が円筒状を維持できるようにスチール材質で形成され、共振器５０の内面には、反射率を高めることができるように、銀でコーティング処理した膜５２が備えられている。
【０００８】
ミラー７０は、共振器結合部材４１の直径と同じ直径を有する円板状に形成されて共振器結合部材４１の上端に接触するように配置され、ミラー７０の中心には、無電極電球６０が導波管４０の高さ方向に沿って所定の長さを有するように延びて、導波管４０の外部に露出するように備えられている。
【０００９】
無電極電球６０は、封入物質が封入される所定の内部体積を有する球状の発光部６１と、発光部６１と同一材質で一体に延設される固定部６２とから構成される。
【００１０】
発光部６１は、共振器５０の内部に設置され、固定部６２は、導波管４０の中心部を貫通するように設置されており、このように設置された固定部６２は、ケーシング１０の内部に設置された駆動モータ９０のモータ軸に連結されて一定の速度で回転する。
【００１１】
また、発光部６１は、石英のように光透過率が高くて誘電損失が極めて少ない材質で形成することが好ましく、発光部６１の内部に封入される封入物質は、プラズマを形成して発光を導く金属、ハロゲン族化合物、硫黄、セレンなどの発光物質と、発光初期に発光部６１の内部にプラズマを形成するためのアルゴンガス、クリプトンガスなどの不活性ガスと、初期放電を助けて点灯を容易にし、発生した光のスペクトルなどを調節するための水銀などの放電触媒物質とからなる。
【００１２】
図中、符号８０はリフレクタ、１００は冷却ファン、１１０は冷却ファン１００を回転させる第２駆動モータ、１２０はエアーダクトである。
【００１３】
このような構成により、従来の無電極照明機器においては、高電圧発生部２０に駆動信号が入力されると、高電圧発生部２０は、交流電源を昇圧して昇圧した高電圧を電磁波発生部３０に供給し、電磁波発生部３０は、高電圧により発振して非常に高い周波数を有する電磁波を発生する。発生した電磁波は、導波管４０を介して共振器５０の内部に放射されて、無電極電球６０内に充填された不活性ガスを励起させて発光物質を持続的にプラズマ化して固有の放出スペクトルを有する光を発生し、発生した光は、無電極電球６０の後方に配置されたミラー７０の表面に到達した後に無電極電球６０の前方に反射されて空間を照らす。
【発明の開示】
【発明が解決しようとする課題】
【００１４】
しかし、このような従来の無電極照明機器においては、共振器５０の外形をスチール材質で形成し、共振器５０の内面に銀でコーティングした膜５２を備えて共振器５０の反射率を高めるが、無電極照明機器を長時間使用すると、無電極電球から発生した高温の熱により銀でコーティングした膜５２が変色して共振器５０の反射率が低下し、無電極電球６０から発生する光束量が低下するという問題があった。
【００１５】
本発明は、このような従来技術の問題を解決するためになされたもので、無電極電球から発生した熱により共振器にコーティングされた銀が変色して光束が低下する現象を防止できる、アルミニウム共振器を備えた無電極照明機器を提供することを目的とする。
【課題を解決するための手段】
【００１６】
上記の目的を達成するために、本発明は、一実施形態として、内部に充填された発光物質がプラズマ化して発光する無電極電球と、内部空間に前記無電極電球を収容し、前記無電極電球から発生した光を透過させ、電磁波発生部から発生して前記内部空間に印加された電磁波の外部放出を遮断して共振モードにすることにより、前記無電極電球を発光させる共振器と、を含み、前記共振器がアルミニウム材質で形成されることを特徴とする、アルミニウム共振器を備えた無電極照明機器を提供する。
【００１７】
また、上記の目的を達成するために、本発明は、他の実施形態として、内部に充填された発光物質がプラズマ化して発光する無電極電球と、内部空間に前記無電極電球を収容し、前記無電極電球から発生した光を透過させ、電磁波発生部から発生して前記内部空間に印加された電磁波の外部放出を遮断して共振モードにすることにより、前記無電極電球を発光させる、スチール材質で形成された共振器とを含み、前記共振器の内面にアルミニウム膜が塗布されることを特徴とする、アルミニウムコーティング共振器を備えた無電極照明機器を提供する。
【発明の効果】
【００１８】
本発明によるアルミニウム共振器を備えた無電極照明機器は、無電極電球から発生した熱により共振器にコーティングされた銀が変色して光束量が低下する現象を防止できるという効果がある。
【発明を実施するための最良の形態】
【００１９】
以下、添付図面を参照して本発明によるアルミニウム共振器を備えた無電極照明機器の好ましい実施形態を説明する。
【００２０】
ただし、従来の構成と同じ部分には同一符号を付し、その詳細な説明は省略する。
【００２１】
図１は、本発明の一実施形態によるアルミニウム共振器を備えた無電極照明機器の構造を示す断面図であり、図２は、図１のＡ‐Ａ線断面図である。
【００２２】
図１及び図２に示すように、本発明の一実施形態によるアルミニウム共振器を備えた無電極照明機器は、内部に充填された発光物質がプラズマ化して発光する無電極電球６０と、内部空間に無電極電球６０を収容し、無電極電球６０から発生した光を透過させ、電磁波発生部３０から発生して前記内部空間に印加された電磁波の外部放出を遮断して共振モードにすることにより、無電極電球６０を発光させる共振器５０と、を含む無電極照明機器であって、共振器５０はアルミニウム材質で形成される。
【００２３】
共振器５０は、内部空間に無電極電球６０を収容し、電磁波の外部放出を遮断して無電極電球６０に伝達し、無電極電球６０から発生した光が外部に透過できるように網構造を有する円筒状のメッシュ５６を含む。
【００２４】
また、共振器５０は、外形が円筒状を維持できるようにアルミニウム材質で形成され、共振器５０の内面には、アルミニウムで形成されたメッシュ５６が腐食することを防止できるように、酸化アルミニウム（Ａｌ2０3）膜５４が塗布され、酸化アルミニウム膜５４の内面には、共振器５０の反射率を高めることができるように、高反射コーティング膜５５が形成されている。
【００２５】
ここで、酸化アルミニウム膜５４は、空気中で酸化しやすいアルミニウムで形成されたメッシュ５６の表面に塗布されて、メッシュ５６が酸化することを防止する役割を果たす。
【００２６】
このような構成により、本発明の一実施形態によるアルミニウム共振器を備えた無電極照明機器においては、高電圧発生部２０に駆動信号が入力されると、高電圧発生部２０は、交流電源を昇圧して昇圧した高電圧を電磁波発生部３０に供給し、電磁波発生部３０は、高電圧により発振して非常に高い周波数を有する電磁波を発生する。発生した電磁波は、導波管４０を介して共振器５０の内部に放射されて、無電極電球６０内に充填された不活性ガスを励起させて発光物質を持続的にプラズマ化して固有の放出スペクトルを有する光を発生し、発生した光は、無電極電球６０の後方に配置されたミラー７０の表面に到達した後に無電極電球６０の前方に反射されて空間を照らす。
【００２７】
ここで、メッシュ５６の内面に形成された酸化アルミニウム膜５４により、アルミニウムで形成された共振器５０の腐食を防止でき、酸化アルミニウム膜５４の内面に形成された高反射コーティング膜５５により、無電極電球６０から発生した光の損失を低減できる。
【００２８】
一方、図３は、本発明の他の実施形態によるアルミニウムコーティング共振器を備えた無電極照明機器の共振器の断面図であり、本発明の一実施形態と同じ部分には同一符号を付し、その詳細な説明は省略する。
【００２９】
本発明の他の実施形態によるアルミニウムコーティング共振器を備えた無電極照明機器において、共振器５０は、従来の無電極照明機器の共振器５０と同じスチール材質で形成されたメッシュ５１を含み、その内面にはアルミニウム膜５３が塗布され、アルミニウム膜５３の内面には、アルミニウム膜５３の腐食を防止できるように、酸化アルミニウム膜５４がコーティング処理され、酸化アルミニウム膜５４の内面には、共振器５０の反射率を高めることができるように、高反射コーティング膜５５が形成されている。
【図面の簡単な説明】
【００３０】
【図１】本発明の一実施形態による、アルミニウム共振器を備えた無電極照明機器の構造を示す断面図。
【図２】図１のＡ‐Ａ線断面図。
【図３】本発明の他の実施形態による、アルミニウムコーティング共振器を備えた無電極照明機器の共振器の断面図。
【図４】従来の無電極照明機器の構造を示す断面図。
【図５】図４のＢ‐Ｂ線断面図。
【図１】
2007095691.tif 000003
【図２】
2007095691.tif 000004
【図３】
2007095691.tif 000005
【図４】
2007095691.tif 000006
【図５】
2007095691.tif 000007